(57)【特許請求の範囲】
【請求項１】
薄型の表示部ユニット、
スピーカーが内蔵された１対のパネル、
前記表示部ユニットの左端部と一方の前記パネルの前面の横方向の中間部とを、前記パネルの底面が前記表示部ユニットの底面より下方又は同じ位置となるように連結する第１のヒンジ、
前記表示部ユニットの右端部と、他方の前記パネルの前面の横方向の中間部とを、前記パネルの底面が前記表示部ユニットの底面より下方又は同じ位置となるように連結する第２のヒンジ
を備えたことを特徴とする薄型表示装置。
【請求項２】
記第１のヒンジは、前記一方のパネルの前面の横方向の中間部と前記表示部ユニットの背面の左端部とを連結し、
前記第２のヒンジは、前記他方のパネルの前面の横方向の中間部と前記表示部ユニットの背面の右端部とを連結することを特徴とする請求項１記載の薄型表示装置。
【請求項３】
前記第１のヒンジ及び前記第２のヒンジは、前記パネルの前面と前記表示部ユニットの背面との鋭角が２２度になるまで、前記パネルを前記表示部ユニットに対して回動可能にすることを特徴とする請求項１または請求項２に記載の薄型表示装置。
【請求項４】
前記第１のヒンジ及び前記第２のヒンジは、前記パネルの前面と前記表示部ユニットの背面が平行になるまで、前記パネルを前記表示部ユニットに対して回動可能にすることを特徴とする請求項１〜３のいずれか１項に記載の薄型表示装置。
【請求項５】
前記表示部ユニットは、前記表示部ユニットに対して上下方向に移動するスライド式取り付け部を備え、
前記第１のヒンジおよび前記第２のヒンジは、前記表示部ユニットの前記スライド式取り付け部と前記パネルとを連結することを特徴とする請求項１〜４のいずれか１項に記載の薄型表示装置。
【請求項６】
前記スライド式取り付け部を前記表示部ユニットに対して移動可能にするリリースボタンを更に備えたことを特徴とする請求項５記載の薄型表示装置。
【発明の詳細な説明】
【技術分野】
【０００１】
本発明は、薄型の表示部ユニットを有する薄型表示装置に関するものである。
【背景技術】
【０００２】
現在市販されている一般的なテレビ（表示装置）の構成は、大きく分けて、表示部ユニットと卓上スタンドの２つに分けられる。スピーカーは、表示部ユニット（画像を表示する表示部とそれを覆うカバーを含む）に内蔵されているか、または、別体で表示部ユニットの両サイドもしくは下に、ネジ等で固定されている。表示部ユニットは、卓上スタンドを取付けて、家具や床上に置くのが一般的である。
一方、近年では、表示部ユニットの表示部の薄型化に伴い、壁掛け需要も増加している。壁掛けの際は、市販の取り付け金具を別途購入し、壁に固定することが多い。
【０００３】
【特許文献１】特開平４−２６１５７９
【発明の概要】
【発明が解決しようとする課題】
【０００４】
従来の表示装置の表示部ユニットを支持する手段として、複数の表示部ユニット（フラット・ディスプレイ）を回動可能なように接続・一体的に連結し、不要時は折りたたむようにしたものがある（特許文献１）。
しかし、この表示装置では、本体の後方にスタンドがないことから、表示部ユニットの後方への転倒防止が考慮されていないという問題がある。
【０００５】
この発明は、上記のような課題を解決するためになされたもので、薄型の表示部ユニットの左右の両端にスピーカーを内蔵したパネルを連結し、このパネルが、表示部ユニットを卓上等に載せる際のスタンドとして機能する薄型表示装置を提供することを目的とする。
【課題を解決するための手段】
【０００６】
この発明に係る薄型表示装置は、薄型の表示部ユニット、スピーカーが内蔵された１対のパネル、前記表示部ユニットの左端部と一方の前記パネルの前面の横方向の中間部とを、前記パネルの底面が前記表示部ユニットの底面より下方又は同じ位置となるように連結する第１のヒンジ、前記表示部ユニットの右端部と、他方の前記パネルの前面の横方向の中間部とを、前記パネルの底面が前記表示部ユニットの底面より下方又は同じ位置となるように連結する第２のヒンジを備えたものである。
【発明の効果】
【０００７】
この発明は、スピーカーが内蔵された一対のパネルのうち、一方のパネルの前面の横方向の中間部と表示部ユニットの左端部、他方のパネルの前面の横方向の中間部と表示部ユニットの右端部を、パネルの底面が表示部ユニットの底面より下方又は同じ位置となるようにヒンジで連結することによって、スピーカーが内蔵されたパネルで表示部ユニットを安定して支持することができる。
【図面の簡単な説明】
【０００８】
【図１】この発明の実施の形態１における薄型表示装置１の構成図である。
【図２】この発明の実施の形態１における薄型表示装置１のヒンジ３の取り付け箇所周辺を示す図である。
【図３】この発明の実施の形態１における薄型表示装置１のヒンジ３の構成図である。
【図４】この発明の実施の形態１における薄型表示装置１のヒンジ３を表示部ユニット２に取り付けた状態の図である。
【図５】この発明の実施の形態１における薄型表示装置１のパネル４を表示部ユニット２に対して回動する時のヒンジ３の取り付け拡大図である。
【図６】この発明の実施の形態１における薄型表示装置１の寸法を示す図である。
【図７】この発明の実施の形態１における薄型表示装置１の壁掛け設置を示す図である。
【図８】この発明の実施の形態１における薄型表示装置１の卓上設置の状態と壁掛け設置の状態の正面図である。
【図９】この発明の実施の形態１における薄型表示装置１の壁掛け設置を示す図である。
【図１０】この発明の実施の形態１における薄型表示装置１の背面図である。
【発明を実施するための形態】
【０００９】
実施の形態１．
図１は、この発明の実施の形態１における薄型表示装置１の構成図である。
まず、薄型表示装置１を卓上等に設置する場合について説明する。
図１の上面図で、薄型表示装置１は、表示部ユニット２の背面の左端と右端のそれぞれに１つずつ取り付けられたヒンジ３によって、板状の１対のパネル４が表示部ユニット２の両端にそれぞれ連結されて構成されている。また、図１の正面図で、パネル４には、薄型のスピーカー５が内蔵されている。
【００１０】
表示部ユニット２は、内部に画像を表示する薄型の表示部を有し、表示部の表側を覆うフロントケース（図示せず）と表示部の後側を覆うバックケース（図示せず）とを備えている。なお、表示部は液晶ディスプレイ、プラズマディスプレイなどの薄型のディスプレイである。
ヒンジ３は、表示部ユニット２の背面の左端と右端にそれぞれ１つずつ、パネル４を表示部ユニット２に対して回動可能にするように取り付けられている。
【００１１】
パネル４は、図１の正面図のように薄型のスピーカー５が内蔵されている１対のパネルである。
図１の正面図において、左側（一方）のパネル４の前面（スピーカー５が内蔵されている面）の右端の部分が表示部ユニット２の前面に向かって左端の背面の部分と重なる様に、また、右側（もう一方）のパネル４の前面の左端の部分と表示部ユニット２の前面に向かって右端の背面の部分が重なる様にヒンジ３で取り付けられ、１対のパネル４が表示部ユニット２を左右の両端で支持している。
【００１２】
図１の正面図、側面図において、表示部ユニット２はパネル４により浮くように支持されている。ここでは、表示部ユニット２がパネル４により浮くように支持される構成で説明するが、表示部ユニット２の底面が設置面に着く位置に、パネル４を表示部ユニット２にヒンジ３で連結する構成にしてもよい。
【００１３】
次に、ヒンジ３の構成について詳細に説明する。
図２は、この発明の実施の形態１における薄型表示装置１の背面図でヒンジ３の取り付け箇所周辺を示す図である。
ヒンジ３は、ヒンジ３ａとヒンジ３ｂから構成されている。
表示部ユニット２の背面の左端と右端には、表示部ユニット２に対して上下方向に移動するスライド式取り付け部６が１つずつ設けられている。そして、このスライド式取り付け部６にヒンジ３ｂがネジ止めされている。
【００１４】
そして、このヒンジ３ｂにヒンジ３ａが嵌め込まれ、そのヒンジ３ａがパネル４のスピーカー５が内蔵されている前面の中間部（端部とスピーカー部分を除く）にネジ止めされて取り付けられている。ここでは、ネジ止めされているとして説明しているが、ヒンジ３ｂとスライド式取り付け部６が固定できればネジ止めでなくてもよい。
【００１５】
また、ヒンジ３が取り付けられたスライド式取り付け部６は、リリースボタン７を押下するとロック機能が解除される。そして、ロック機能が解除されると、スライド式取り付け部６は、表示部ユニット２に対して上下方向にスライド可能となり、上方向の最大または下方向の最大位置で再びロックがかかり固定されるようになっている。
このような構造により、スライド式取り付け部６に取り付けられているヒンジ３で連結されているパネル４は、表示部ユニット２を浮かせるような位置で支持した状態で、薄型表示装置１を卓上等に設置または壁掛けすることができる。また、パネル４と表示部ユニット２の底面を揃えた状態で、卓上等に設置または壁掛けすることもできる。
ここでは、上下方向の最大位置でロックがかかり固定されると説明しているが、上下方向の最大位置ではなく中間位置で固定されてもよい。
【００１６】
次に、ヒンジ３の構造の詳細について説明する。
図３は、この発明の実施の形態１における薄型表示装置１のヒンジ３の構成図である。
パネル４に取り付けられたヒンジ３ａは、パネル４の回転中心となる回転軸３ａ１と、回転軸３ａ１の両端に設けられた半長円柱を変形させた一対の半長円柱変形部３ａ２から構成されている。
【００１７】
この半長円柱変形部３ａ２は、半長円柱の片側の側面ｅ（曲面が平面と接している曲面側の側面）を半長円柱変形部３ａ２がパネル４に取り付けられる平面ｆと角度α＝９０°をなすように変形している。そして、この半長円柱変形部３ａ２の片側の端部と回転軸３ａ１の片側の端部を接続している。
また、表示部ユニット２に取り付けられるヒンジ３ｂは、ヒンジ３ａの回転軸部３ａ１が貫通する円筒部３ｂ１と円筒部３ｂ１の両端に設けられた凹部３ｂ２から構成されている。凹部３ｂ２は、ヒンジ３ａの半長円柱変形部３ａ２が勘合する形状となっている。
【００１８】
次にヒンジ３を表示部ユニット２の背面の左側に取り付ける取り付け方について説明する。
まず、図３のヒンジ３ｂの凹部３ｂ２の平面ｇを図２の表示部ユニット２の背面の左端に配置したスライド式取り付け部６に、凹部３ｂ２の凹面ｊ側からネジ止めして取り付ける。この時、表示部ユニット２に配置されているスライド式取り付け部６の位置は、表示部ユニット２の背面の左端で、パネル４の底面が表示部ユニット２の底面の下方にくる位置に取り付けられている。
【００１９】
次に、ヒンジ３ａの半長円柱変形部３ａ２の一方が取り付けられた回転軸３ａ１をヒンジ３ｂの円筒部３ｂ１に貫通させ、貫通させた先の回転軸３ａ１の端面にもう一方の半長円柱変形部３ａ２を取り付ける。
この時、半長円柱変形部３ａ２の平面ｆと角度α＝９０°をなしている側面ｅが、表示部ユニット２の背面に向かって左端側にくるように、ヒンジ３ａの回転軸３ａ１に半長円柱変形部３ａ２を取り付ける。
ヒンジ３は、ヒンジ３ａの回転軸３ａ１がヒンジ３ｂの円筒部３ｂ１に貫通された状態で、ヒンジ３ａの半長円柱変形部３ａ２とヒンジ３ｂの凹部３ｂ２が嵌合している。
同様に、ヒンジ３を表示部ユニット２の背面に向かって右端側にも取り付ける。
【００２０】
図４は、ヒンジ３を表示部ユニット２の背面に向かって右端に取り付けた状態の図である。
図４のように、ヒンジ３ａとヒンジ３ｂを嵌め合わせた状態で、ヒンジ３ａの半長円柱変形部３ａ２の平面ｆとパネル４がネジ止めされて取り付けられる。
この時、パネル４の薄型のスピーカーが内蔵されている前面の横方向の右側の端部（右端部）と表示部ユニット２の背面の横方向の右端部が重なるように、パネル４がヒンジ３ａに取り付けられる。
【００２１】
即ち、パネル４の前面の横方向の右端部を除く（パネル４のスピーカー部分も除く）中間部と表示部ユニット２の背面の右端部がヒンジ３で連結される。また、パネル４の底面が、表示部ユニット２の底面よりも下方になるように連結されている。
パネル４の前面と表示部ユニット２の背面は、平行な状態でヒンジ３によって取り付けられている。
【００２２】
次に、パネル４が表示部ユニット２に対して平行な状態から、パネル４を回動して表示部ユニット２に角度を付けて卓上等に設置する動作について説明する。また、この時のヒンジの構造について詳細に説明する。
図５は、この発明の実施の形態１における薄型表示装置１のパネル４を表示部ユニット２に対して回動する時のヒンジ３の拡大図である。
図５のパネル平行状態上面図は、パネル４が表示部ユニット２に対して平行な状態の時の上面図である。
そして、この時のヒンジ３の拡大図が、図５のパネル平行状態ヒンジ拡大図である。
【００２３】
図５のパネル平行状態ヒンジ拡大図で、ヒンジ３ａの回転軸部３ａ１がヒンジ３ｂの円筒部３ｂ１に貫通し、ヒンジ３ａの半長円柱変形部３ａ２とヒンジ３ｂの凹部３ｂ２が嵌合している。
そして、半長円柱変形部３ａ２の平面ｆとの角度αが９０°をなしている半長円柱を変形した側面ｅが、表示部ユニット２の背面の右端の側面ｍ側となるようにヒンジ３が取り付けられている。そして、ヒンジ３の半長円柱変形部３ａ２の平面ｆに、パネル４が取り付けられている。
半長円柱変形部３ａ２の平面ｆがパネル４に取り付けられるため、半長円柱変形部３ａ２の半長円柱の側面ｅとパネル４との角度も９０°となる。
【００２４】
次に、半長円柱変形部３ａ２の平面ｆとの角度αが９０°をなしている側面ｅと、その側面ｅ側で半長円柱変形部３ａ２と嵌合している凹部３ｂ２の端の面ｎとの角度β１は２２°をなしている。
また、半長円柱変形部３ａ２の側面ｅ側で半長円柱変形部３ａ２と嵌合している凹部３ｂ２の端の面ｎと、表示部ユニット２の背面２ａから垂直な面ｕ１との角度β２も２２°をなす。
【００２５】
また、半長円柱変形部３ａ２の半長円柱の側面ｅと反対の側面ｗと、半長円柱の側面ｗとパネル４との接点で、パネル４と垂直な面ｕ２との角度β３も２２°をなす。
また、半長円柱変形部３ａ２の半長円柱の側面ｗ（凹部３ｂ２と嵌合している面ｗ）と表示部ユニット２から垂直な面ｕ３との角度β４も２２°をなす。
【００２６】
この状態から、パネル４を回動して表示部ユニット２と角度を付け、卓上に設置できるようにしたときのヒンジ３の構造を詳細に説明する。（パネル４を回動する時には、パネル４が勢いよく開かない様にラチェット機構を備えている（図示せず））。
図５のパネル角度付き上面図は、卓上等に設置する時に、パネル４を回動させて表示部ユニット２と角度を付けた時の上面図である。
【００２７】
この時のヒンジ３の拡大図が、図５のパネル角度付きヒンジ拡大図である。
図５のパネル角度付きヒンジ拡大図で、ヒンジ３ａの回転軸部３ａ１がヒンジ３ｂの円筒部３ｂ１に貫通し、ヒンジ３ａの半長円柱変形部３ａとヒンジ３ｂの凹部３ｂ２が嵌合している。
パネル４を表示部ユニット２に対して角度を付ける様に最大限に回動して停止した状態の時、表示部ユニット２の背面とパネル４の前面との鋭角の角度β５は２２°をなしている。
【００２８】
この時、半長円柱変形部３ａ２の平面ｆとの角度αが９０°をなしている側面ｅと、その側面ｅ側で半長円柱変形部３ａ２と嵌合している凹部３ｂ２の凹面ｎとの角度が０°で、これ以上パネル４が回動できない状態となっている。
つまり、ヒンジ３ａの半長円柱変形部３ａ２の側面ｅが受け側のヒンジ３ｂの凹部３ｂ２の壁にあたることによって、パネル４と表示部ユニット２との角度β５が２２°になる位置で回動させていたパネル４が止まる。
【００２９】
このようなヒンジの構造によって、パネル４の前面と表示部ユニット２の背面が平行な状態からパネル４の前面と表示部ユニット２の背面との鋭角の角度が２２度になるまで、パネル４を表示部ユニット２に対して回動および回動を停止させることができる。
ここでは、ヒンジ３がパネル４と表示部ユニット２を連結することを説明したが、パネル４と表示部ユニット２との電気的な接続は、例えば、パネル４と表示部ユニット２にそれぞれ１つずつ端子を設け、電線を介して行う方法が一般的である。しかし、パネル４と表示部ユニット２とが電気的に接続できれば他の方法でもよい。
【００３０】
次に、薄型表示装置１の具体的な寸法の１例について詳細に説明する。
図６は、この発明の実施の形態１における薄型表示装置１の寸法を示す図である。
表示部ユニット２は、図６の正面図で横幅Ｓ１が１０７４．６ｍｍ、高さＳ２が６３２．８ｍｍ、図６の側面図で奥行きＳ３が３５ｍｍである。
パネル４は、図６の上面図で横幅Ｓ４が４５０．８ｍｍ、厚さＳ５が２５ｍｍ、図６の正面図で高さＳ６が６３２．８ｍｍである。パネル４の左右の寸法は同じである。
【００３１】
図６の上面図で、パネル４が表示部ユニット２と平行な状態から、左のパネル４は反時計回りに回動し、右のパネル４は時計回りに回動して、パネル４が表示部ユニット２から前後左右にせり出すようにヒンジ３によって連結されている。
表示部ユニット２の前面に向かって右側のパネル４は、図６の側面図で、表示部ユニット２に対して右側の前方向にＳ７＝７８．４０３ｍｍ、左側の後方向にＳ８＝７８．６４９ｍｍせり出している。また、図６の正面図で、表示部ユニット２の前側の右外方向にＳ９＝３１４．１ｍｍ、表示部ユニット２の後側の左内方向にＳ１０＝１３６．７ｍｍせり出している。
【００３２】
また、図６の正面図でパネル４の高さＳ６は、表示部ユニット２の高さＳ２と同じである。
また、図６の上面図で表示部ユニット２の背面とパネル４の前面との鋭角の角度β５は２２°である。
そして、図６の上面図で右側のパネル４の横方向の右端からパネル４に内蔵されている薄型のスピーカー５の中心までの長さＳ１１は１７１ｍｍである。この薄型のスピーカー５の中心位置で右のパネル４の垂直線Ｓ１２は、左のパネル４の薄型のスピーカー５の中心位置の垂直線Ｓ１３と約１．７ｍで交差する。この交差する位置Ｐは、表示部ユニット２の高さ６３２．８ｍｍの約３倍の位置になる。
【００３３】
表示装置の視聴者が画面を見やすい最適な位置（最適視聴位置または最適視聴距離）は、表示装置から画面の高さの約３倍の位置とされている。
薄型表示装置１は、左側のパネル４に内蔵されている薄型のスピーカー５の中心位置の垂直線と右側のパネル４に内蔵されている薄型のスピーカー５の中心位置の垂直線が交差する位置Ｐ（視聴者に最適な音響効果のある位置Ｐ）が最適視聴位置になる。
この様に、パネル４の前面が表示部ユニット２の背面に対して鋭角の角度β５＝２２°をなしていることによって、視聴者の最適視聴位置を最適な音響効果となる位置Ｐにすることができる。
【００３４】
また、図６の上面図で、表示部ユニット２の背面の左端のヒンジ３と右端のヒンジ３にそれぞれ取り付けられた一対のパネル４は、図６の正面図で表示部ユニット２を設置面から高さＳ１４＝４０ｍｍの位置で浮かせるように支持している。
この様に、パネル４が表示部ユニット２を浮いた状態で支持するため、薄型表示装置１の設置面はパネル４の底面だけとなり、設置面積が少なくてすむ。また、表示部ユニット２の下のスペースが空いているため清掃が容易となる。また、設置面（家具など）の変色や傷つきを軽減することができる。
【００３５】
また、図６の背面図で、リリースボタン７が押下されると、ヒンジ３が取り付けられたスライド式取り付け部６は、Ｓ１５＝４０ｍｍの範囲で表示部ユニット２に対して上下方向にスライドさせることができる。
スライド式取り付け部６が表示部ユニット２に対して最も下方向にスライドして、ロックされた状態の時、パネル４は表示部ユニット２を設置面から４０ｍｍ浮かせた状態で支持している。即ち、表示部ユニット２の底面は、設置面から４０ｍｍの位置にある。
一方、スライド式取り付け部６が表示部ユニット２に対して最も上方向にスライドして、ロックされた状態の時、パネル４の底面は、表示部ユニット２の底面と同じ位置になる。
【００３６】
次に、薄型表示装置１を壁に掛ける場合について説明する。
図７は、この発明の実施の形態１における薄型表示装置１を壁に掛けて設置する時の正面図、上面図、側面図、壁掛け器具構成図である。
また、図８は、この発明の実施の形態１における薄型表示装置１の卓上設置の状態と壁掛け設置の状態の正面図である。
図７の上面図に示す薄型表示装置１は、図８に示した卓上設置の状態からパネル４の前面と表示部ユニット２の前面が平行な状態（壁掛け設置の状態）になるまで、左のパネル４を時計回りに回動し、右のパネル４を反時計回りに回動し、回動が停止した状態で壁９に設置している。
【００３７】
図７の壁掛け器具構成図において、壁掛け器具８は、市販されている一般的なものであり、部品取り付け器具８ａと壁側取り付け器具８ｂから構成されている。
そして、この壁掛け器具８ａを薄型表示装置１側に取り付け、壁掛け器具８ｂを壁９側に取り付ける。この状態で壁掛け器具８ａを壁掛け器具８ｂに引っ掛けて取り付けると、図７の上面図および側面図に示す様に、壁掛け器具８によって薄型表示装置１を壁９に掛けて設置することができる。
ここでは、パネル４と表示部ユニット２を平行にして壁にかける場合について説明するが、パネル４が表示部ユニット２に対して角度をつけて連結されている状態のまま壁にかけてもよい。
【００３８】
次に、パネル４の上面と底面を表示部ユニット２の上面と底面の位置に揃えて設置する場合について説明する。
図９は、この発明の実施の形態１における薄型表示装置１の壁掛け設置の際に、パネル４と表示部ユニット２の上面と底面を揃えて設置した構成図である。
また、図１０は、この発明の実施の形態１における薄型表示装置１の背面図である。
図７の正面図のように、表示部ユニット２とパネル４の上面と底面に段差がある状態から、図９の正面図または側面図のように、表示部ユニット２とパネル４の上面と底面を揃えた状態で壁にかける手順について説明する。
【００３９】
図１０の背面図に示すように、図６の背面図で示した表示部ユニット２の背面にあるリリースボタン７を押下する。リリースボタン７を押下すると、図６の背面図で示したスライド式取り付け部６のロック機能が解除されるので、スライド式取り付け部６に取り付けられたヒンジ３を表示部ユニットに対して上下方向に動かすことができる。そのため、ヒンジ３によって連結されているパネル４を表示部ユニット２の表示部ユニットに対して上方向に動かすことができる。
そして、スライド式取り付け部６は、可動範囲の最端の位置にくるとリリースボタン７にロックがかかり、動かない状態になる。（再び動かすためには、リリースボタン７を押下する。）
【００４０】
つまり、表示部ユニット２の背面のリリースボタン７を押下することにより、図６の高さＳ１４＝Ｓ１５＝４０ｍｍ分、ヒンジ３で連結されたパネル４を表示部ユニットに対して上方向に動かすことができる。
そのため、図９の正面図に示す様に、表示部ユニット２とパネル４の上面と底面を揃えた状態で、図９の側面図に示す様に薄型表示装置１を壁９に掛けて設置することができる。
【００４１】
この様に、壁に掛けて設置する際には、市販の壁掛け器具８を用いて設置することができる。そして、卓上等に設置する時にスピーカー付きのスタンドとして使用していたパネル４を、表示部ユニット２に連結したまま、スピーカーとして使用することができる。この時、パネル４をヒンジ３によって回動して、表示部ユニット２の背面と平行にすると、壁からの厚みを減らすことができ、省スペースとなる。また、パネル４によって壁掛け器具が隠れる状態となり、側面の美観を損なうことがない。
【００４２】
また、壁に掛けて設置する際に、表示部ユニット２の背面にあるリリースボタン７を押下することによって、表示部ユニット２に設けられたスライド式取り付け部に取り付けたヒンジ３が表示部ユニット２に対して上下可動になり、表示部ユニット２とパネル４との上下辺をそろえて壁に掛けることができる。
【００４３】
以上のように、スピーカーが内蔵された一対のパネルのうち、一方のパネルのスピーカーが内蔵されている前面の横方向の中間部と表示部ユニットの背面の左端、他方のパネルの前面の横方向の中間部と表示部ユニットの背面の右端とを、パネルの底面が表示部ユニットの底面より下方又は同じ位置となるようにヒンジで連結することによって、スピーカーが内蔵されたパネルで表示部ユニットを安定して支持することができる。
【００４４】
また、ヒンジ３によって連結されたパネル４を回動させて、表示部ユニット２に対して角度をつけた状態で停止させることができるため、パネル４に内蔵されているスピーカー５の正面を最適視聴位置に向けて設置することができる。そのため、表示部に対して垂直に音を出す一般的な方式に比べ、音がしっかりと視聴位置に届き、より臨場感のある音響効果を提供することができる。
【００４５】
また、薄型表示装置１は板状のパネル４の底面で自立しているため、広い面積で床と接地する一般的な卓上スタンドに比べ、設置面積が少なくてすむ。そのため、設置面の清掃が容易となる。また、変色や傷つきを軽減することもできる。
また、パネル４はヒンジ３によって連結されていて取り外しが可能であるため、表示部ユニット２またはパネル４に内蔵している薄型のスピーカー５を個別にメンテナンスすることができる。
【００４６】
また、壁に掛けて設置する際にも、市販の壁掛け器具８を用いて設置することができる。卓上等に設置する時にスピーカー付きのスタンドとして使用していたパネル４は、表示部ユニット２に連結したままスピーカーとして使用することができる。この時、パネル４をヒンジ３によって回動して、表示部ユニット２の背面と平行にすると、壁からの厚みを減らすことができ、省スペースとなる。また、パネル４によって壁掛け器具が隠れる状態となり、側面の美観を損なうことがない。
【００４７】
また、壁に掛けて設置する際に、表示部ユニット２の背面にあるリリースボタン７を押下することによって、表示部ユニット２に設けられたスライド式取り付け部に取り付けたヒンジ３が表示部ユニット２に対して上下可動になり、表示部ユニット２とパネル４との上下辺をそろえて壁に掛けることができる。
【符号の説明】
【００４８】
１  薄型表示装置、２  表示部ユニット、３  ヒンジ、４  パネル、５  スピーカー、６  スライド式取り付け部、７  リリースボタン、８  壁掛け器具、９  壁。
【図１】
0005594249.tif 000002
【図２】
0005594249.tif 000003
【図３】
0005594249.tif 000004
【図４】
0005594249.tif 000005
【図５】
0005594249.tif 000006
【図６】
0005594249.tif 000007
【図７】
0005594249.tif 000008
【図８】
0005594249.tif 000009
【図９】
0005594249.tif 000010
【図１０】
0005594249.tif 000011